(57)【特許請求の範囲】
【請求項１】
外枠と、該外枠の前面に開閉可能に支持される前枠と、該前枠を外枠に施錠するための施錠装置と、を備え、
さらに前記施錠装置が、前枠に固定される支持体と、該支持体の上端部と下端部とに各々傾動可能に支持され外枠に設けられた係合部に係合する鉤部材と、前記支持体に支持され解錠操作によって前記係合部と鉤部材の前記係合を解除するための錠部材と、前記支持体に支持され前記錠部材の解錠操作を鉤部材に伝達するための作動体と、
を有するものである遊技機において、
前記施錠装置は、
前記支持体に揺動可能に支持され、前記作動体の解錠方向への移動を妨げる規制位置と、作動体の解錠方向への移動を妨げない規制解除位置とに変位可能であり、さらに規制解除位置に向けて第１付勢部材により付勢されたロック体と、
前記ロック体に形成した取付片に該ロック体の揺動方向に摺動可能なように自己の軸部を支持させると共に該軸部にコイルバネである第２付勢部材を介装して外枠側に向けて突出する方向に付勢された軸状の当接体と、
前記錠部材に設けられ前記鉤部材を解錠する操作によって規制位置にあるロック体を規制解除位置に変位させ得るカム板と、を備え、
前記ロック体は、前枠の閉止方向の回転に伴い前記当接体の突出部分が外枠に当たって押圧される力をコイルバネである前記第２付勢部材を介して受けることによって規制位置に変位し、且つ、規制位置にある状態で外枠との間に規制解除位置への回動を許容する回動空間が形成されるようになし、さらに前記錠部材の解錠操作に伴う前記カム板の作動でコイルバネである前記第２付勢部材の付勢力に抗して規制解除位置に変位するものであることを特徴とする遊技機。
【発明の詳細な説明】
【０００１】
【発明の属する技術分野】
本発明は、パチンコ遊技機等の遊技機において、遊技盤が設けられた前枠を外枠に施錠するための遊技機における施錠装置に関するものである。
【０００２】
【従来の技術】
従来より、遊技機の一種であるパチンコ遊技機は、その外郭が縦長四角枠状をなす外枠と、外枠に開閉可能に支持される前枠と、前枠の内側に保持される遊技盤とから構成されている。また、前枠の前面には、四角板状をなすガラス扉が開閉可能に支持され、パチンコ遊技機前面から遊技盤が視認可能となっている。そして、前枠の一側には施錠装置が装着され、外枠に対して前枠を施錠できるとともに、前枠に対してガラス扉を施錠できるようになっている。
【０００３】
この種の遊技機における施錠装置は、縦長筒状の支持体に縦長四角板状の作動板が上下移動可能に設けられ、作動板の両端部に一対の鉤部が設けられたものが知られている。そして、これらの鉤部は、外枠に設けられた一対の係合部と係脱可能に構成され、前記鉤部が係合部に係合した状態で前枠を外枠に対して施錠できるようになっている。また、作動板は上方に付勢されており、鉤部が係合部の下方から係合した際には、係合状態が維持できるようになっている。
【０００４】
一方、支持体には、錠部材が設けられ、錠部材の回転操作が伝達板を介して前記鉤部に伝達され、鉤部を下方に移動できるようになっている。そして、錠部材の回転操作によって、鉤部を下方に移動させて係合部から離脱させることによって前枠を外枠から解錠できるようになっている。パチンコ遊技機は、遊技店等における枠台等に設置され、島設備を構成する。この状態において、パチンコ遊技機の上方、側面等に存在する隙間から針金等の不正部材、手等で鉤部を操作する行為によって、前枠が不正に開錠される可能性がある。そして、遊技盤に搭載されたプリント基板等の遊技構成部材に対して不正行為が行われる可能性がある。
【０００５】
【発明が解決しようとする課題】
ところが、上記従来の技術では、施錠装置を構成する作動板等が側面から針金等の不正部材によって操作され、前枠が不正に解錠されるおそれがあるという問題があった。本発明は上記従来技術に存在する問題点に着目してなされたものである。本発明の目的は、不正行為を防ぐことができる遊技機における施錠装置を提供することにある。
【０００６】
【課題を解決するための手段】
外枠と、該外枠の前面に開閉可能に支持される前枠と、該前枠を外枠に施錠するための施錠装置と、を備え、
さらに前記施錠装置が、前枠に固定される支持体と、該支持体の上端部と下端部とに各々傾動可能に支持され外枠に設けられた係合部に係合する鉤部材と、前記支持体に支持され解錠操作によって前記係合部と鉤部材の前記係合を解除するための錠部材と、前記支持体に支持され前記錠部材の解錠操作を鉤部材に伝達するための作動体と、
を有するものである遊技機において、
前記施錠装置は、
前記支持体に揺動可能に支持され、前記作動体の解錠方向への移動を妨げる規制位置と、作動体の解錠方向への移動を妨げない規制解除位置とに変位可能であり、さらに規制解除位置に向けて第１付勢部材により付勢されたロック体と、
前記ロック体に形成した取付片に該ロック体の揺動方向に摺動可能なように自己の軸部を支持させると共に該軸部にコイルバネである第２付勢部材を介装して外枠側に向けて突出する方向に付勢された軸状の当接体と、
前記錠部材に設けられ前記鉤部材を解錠する操作によって規制位置にあるロック体を規制解除位置に変位させ得るカム板と、を備え、
前記ロック体は、前枠の閉止方向の回転に伴い前記当接体の突出部分が外枠に当たって押圧される力をコイルバネである前記第２付勢部材を介して受けることによって規制位置に変位し、且つ、規制位置にある状態で外枠との間に規制解除位置への回動を許容する回動空間が形成されるようになし、さらに前記錠部材の解錠操作に伴う前記カム板の作動でコイルバネである前記第２付勢部材の付勢力に抗して規制解除位置に変位するものである遊技機を提供する。
【０００７】
【発明の実施の形態】
以下、本発明を具体化した遊技機における施錠装置の一実施形態を図１〜図６に従って説明する。
【０００８】
図６に示すように遊技機の一種であるパチンコ遊技機１１は、その外郭が縦長四角枠状をなす外枠１２により形成され、この外枠１２の前面の一側部には外枠段部１２ａが凹設されている。また、外枠１２の他側部には四角枠状をなす前枠１３が開閉可能に支持されている。この前枠１３には、図示しない打球発射装置、球皿等のパチンコゲームを展開可能とする遊技構成部材が搭載できるとともに、前枠１３の内側には遊技盤１４が保持されている。
【０００９】
この遊技盤１４の前面には、図示しない釘、入賞器具等の遊技構成部材が設けられ、背面にはプリント基板等の遊技構成部材が搭載されている。また、前枠１３の前面には、四角板状をなすガラス扉１５が開閉可能に支持され、パチンコ遊技機１１前面から遊技盤１４が視認可能となっている。
【００１０】
前枠１３には縦長四角筒状の施錠装置１６が装着され、この施錠装置１６により前枠１３を外枠１２に施錠できるようになっている。なお、以下において上下左右は、パチンコ遊技機１１を前方から見た場合の上下左右を示すものとする。加えて、施錠装置１６により前枠１３が外枠１２に施錠された状態を施錠装置１６の施錠状態とし、外枠１２から前枠１３が開放された状態を施錠装置１６の解錠状態とする。
【００１１】
前枠１３を外枠１２に施錠するための施錠装置１６は、図１に示すように、亜鉛メッキ鋼板等の金属板から形成され、平断面視略Ｌ字状をなすとともに、上下方向に延びるように形成された支持体１７によって外郭が形成されている。この支持体１７は、縦長四角板状の背板１８と、同背板１８の長さ方向に沿った一側から直交方向に折り曲げ形成された側板１９とから構成されている。
【００１２】
前記側板１９の上下両端には鉤部としての三角板状の上部鉤部２６及び下部鉤部２７の基端部がリベットＲによりかしめ着けされ、そのリベットＲを回動中心として水平状態から先端が下がる方向に回動可能に支持体１７に支持されている。上部鉤部２６及び下部鉤部２７の先端縁には、端部に向かうに従い、下方に傾斜する傾斜面３３が形成されている。また、各鉤部２６、２７の中央には、上方に向かって開口する係合凹所３４がそれぞれ凹設されている。これらの係合凹所３４が、図６に示す外枠１２の右端の上下両部に外枠１２内へ四角板状に突出する係合部３６にそれぞれ係合されることによって、外枠１２に前枠１３が施錠されるようになっている。
【００１３】
図１及び図２（ｂ）に示すように、前記側板１９の内側には四角板状をなす作動体２１が配置され、同作動体２１の上下両端部に上部及び下部鉤部２６，２７がリベットＲでかしめ着けられている。そして、作動体２１の上動が各上部及び下部鉤部２６，２７の基端部へ伝達され、それら上部及び下部鉤部２６，２７が下方へ回動されるようになっている。
【００１４】
作動体２１の下端側及び背板１８の下端側には、掛止片３１がそれぞれ形成されている。各掛止片３１に第１コイルバネ３２の各端部が掛止され、その第１コイルバネ３２により作動体２１は支持体１７に対して下方に付勢されるようになっている。
【００１５】
図１に示すように、作動体２１の上部側には、作動体２１の長さ方向沿って延びる長孔２１ａが穿設され、その長孔２１ａ内に作動係止片３０が突設されている。また、作動体２１の上部の背面側縁には係合凹所２１ｂが形成されている。
【００１６】
図１及び図２（ａ）に示すように、背板１８のほぼ中央の後面側には背面横台形状をなすシリンダ錠固定片４５が背板１８と平行方向に突設されている。このシリンダ錠固定片４５には錠部材としてのシリンダ錠４４の基端側が固着され、先端を背板１８の背面に突出した状態で背板１８に装着されている。
【００１７】
シリンダ錠４４の基端面には、背面視横Ｖ字状のカム板４６がカム板支持軸４６ａに軸着されている。シリンダ錠４４に鍵４７を挿入して回動すると、カム板４６はカム板支持軸４６ａを中心に鍵４７の回動方向と同一方向に回動するようになっている。カム板４６には舌片状の第１脚片４６ｂが、下方に向かって突設され、舌片状の第２脚片４６ｃが段差部分を介してカム板４６の中央から斜め上方に向かって突設されている。
【００１８】
施錠状態におけるカム板４６は、各脚片４６ｂ、４６ｃが側板１９に向かって開脚する方向に位置している。そして、図２（ｂ）に示すように、第１脚片４６ｂの上方には作動係止片３０が位置している。そして、この施錠状態以外では、シリンダ錠４４から鍵４７が抜き差しできないようになっている。鍵４７を前方から見て時計方向に回転させると、第１脚片４６ｂは長孔２１ａ内の作動係止片３０の下端縁に係止し、さらに同作動係止片３０を押し上げることができる。即ち、鍵４７によるシリンダ錠４４の解錠操作が作動体２１により上部及び下部鉤部２６，２７に伝達され、それら上部及び下部鉤部２６，２７が下方へ回動して前記係合部３６との係合が解除されることにより、前枠１３を外枠１２に対して解錠できるようになっている。
【００１９】
図１及び図２（ａ）に示すように、背板１８において、シリンダ錠固定片４５の近傍位置には、前記支持体１７の一部としての横長四角板状をなす取付支持部材５１が、側板１９に対してほぼ平行をなすように固着されている。この取付支持部材５１は、同取付支持部材５１の長さ方向の両側部から延設された固定脚片５１ａにより背板１８の内面に固着されている。取付支持部材５１の下端部には、ロック体５２側へ延びるストッパー５１ｄが形成されている。
【００２０】
取付支持部材５１の下端部には、略横長四角形状の一枚の金属板よりなるロック体５２の基端部（図１では下端部）が軸体５２ａにより取り付けられ、そのロック体５２は軸体５２ａを中心として揺動可能になっている。ロック体５２の先端側（図１では上端側）には、ロック体５２の軸線に対して直交して側方へ延びる係止片５２ｂが形成されている。施錠装置１６の施錠状態では係止片５２ｂは作動体２１の係合凹所２１ｂに係合するように形成されている。
【００２１】
このロック体５２の基端部と前記取付支持部材５１の下端部とには第１付勢部材としての収縮状態の第２コイルバネ５４の各端部が掛止されている。そして、ロック体５２は第２コイルバネ５４により、作動体２１から離れる方向へ付勢され、係止片５２ｂと、前記係合凹所２１ｂとの係合が解除される方向へ付勢されている。また、第２コイルバネ５４によるロック体５２の付勢状態でロック体５２の基端部は前記ストッパー５１ｄに当接してロック体５２の回動が規制されている。
【００２２】
ロック体５２の中央側縁には、背板１８側へ突出する規制突片５２ｄが突設されている。前記規制突片５２ｄは基端から先端、即ちロック体５２から背板１８側へ向かうに連れて上方へ傾斜するように形成されている。そして、図３に示すように、施錠装置１６の施錠状態では、前記規制突片５２ｄが前記第１脚片４６ｂと第２脚片４６ｃとの間に入り込み、カム板４６の回転を規制するようになっている。
【００２３】
また、図１に示すように、係止片５２ｂより先端側には略直線状をなす延設部５２ｃが延設されている。さらに、係止片５２ｂの近傍位置にはロック体５２から離れるように外方へ延び、さらに、前方へ延びる延設片５２ｆが形成されている。そして、図３に示すように、前記延設片５２ｆと延設部５２ｃとの間に取付支持部材５１及び作動体２１が配置されている。延設片５２ｆと作動体２１との係止によりロック体５２の厚み方向への揺動が規制され、ロック体５２が作動体２１の近傍位置に配置されている。
【００２４】
延設部５２ｃの先端部には取付片５２ｅが側板１９から離れる方向へ折り曲げ形成されている。その取付片５２ｅには当接体５３の軸部５３ａ側が挿通支持され、ロック体５２の軸線方向に対してほぼ直交する方向へ移動可能に取り付けられている。即ち、当接体５３はロック体５２の揺動方向に沿って移動可能に取り付けられている。
【００２５】
当接体５３の頭部５３ｂと取付片５２ｅとの間には第２付勢部材としてのとしての第３コイルバネ５５が介装されている。この第３コイルバネ５５により当接体５３の頭部５３ｂ側はロック体５２から離れる方向へ付勢され、取付片５２ｅと当接体５３の頭部５３ｂとは離間している。即ち、第３コイルバネ５５により当接体５３は作動体２１から離れる方向へ付勢されている。
【００２６】
さて、この施錠装置１６を前枠１３に装着するには、背板１８の外面を前枠１３の背面右端部に当接し、ねじ等で固定する。そして、図６に示すようにシリンダ錠４４の先端は前枠１３に形成された図示しない挿通孔に挿通され、前枠１３の前面に突出されている。
【００２７】
次に、開放状態の前枠１３を外枠１２に施錠するには、前枠１３を閉止方向に回転させる。このとき、図２（ａ）に示すように、ロック体５２は第２コイルバネ５４の付勢力により作動体２１から離れるように背面側へ付勢されているため、係止片５２ｂと係合凹所２１ｂとは係合せず、作動体２１は上方に移動可能な状態となっている。そして、上下各係合部３６の下端縁に上部及び下部鉤部２６，２７の傾斜面３３が摺動され、下方へ回動されるに伴い、作動体２１は第１コイルバネ３２の付勢力に抗して上方に移動される。
【００２８】
前枠１３の回転中に作動体２１が上方へ移動されていくに伴い、図３に示すように、当接体５３が外枠段部１２ａに当接し、第３コイルバネ５５の付勢力に抗して作動体２１側へ押圧される。すると、当接体５３を介してロック体５２も第２コイルバネ５４の付勢力に抗して外枠段部１２ａに押圧されて、作動体２１側へ回動し、係止片５２ｂが係合凹所２１ｂに係合する。このとき、第３コイルバネ５５の付勢力により当接体５３の頭部５３ｂ側はロック体５２から離れる方向へ付勢されているため、当接体５３を介して外枠段部１２ａとロック体５２の端縁との間にはロック体５２の回動を許容する回動空間が形成される。
【００２９】
そして、前枠１３の背面が外枠１２の前面に当接したときには、各係合部３６が各鉤部２６、２７の係合凹所３４に係合される。それと同時に第１コイルバネ３２の付勢力によって作動体２１は下方へ移動されるとともに、各鉤部２６、２７は上方に回動して前枠１３が外枠１２に施錠される。
【００３０】
また、第２コイルバネ５４は伸長状態となり、その第２コイルバネ５４により、ロック体５２は作動体２１から離れる方向へ引っ張られている。加えて、第１脚片４６ｂと第２脚片４６ｃとの間には規制突片５２ｄが入り込んでいる。
【００３１】
従って、外枠１２に押圧されたロック体５２が作動体２１に直接係合して作動体２１の移動を規制し、係合部３６と上部及び下部鉤部２６，２７との係合が維持される。その結果、パチンコ遊技機１１の上方、側面等に存在する隙間から不正部材、手等で上部鉤部２６及び下部鉤部２７を不正に操作しようとしても、係合凹所２１ｂと係止片５２ｂとの係合により作動体２１を移動させることが不能となる。
【００３２】
続いて、外枠１２から前枠１３を開錠するには、シリンダ錠４４に鍵４７を差し込み、鍵４７を前方から見て時計方向に回転させる。鍵４７の回転に伴いカム板４６が前記時計方向に回転され、上方へ回転された第１脚片４６ｂが規制突片５２ｄに摺接する。
【００３３】
すると、図４に示すように、規制突片５２ｄが第１脚片４６ｂにより徐々に背面側へ押し出され、ロック体５２が外枠１２の背面側へ回動される。このとき、当接体５３の頭部５３ｂが外枠段部１２ａに当接しているが、第３コイルバネ５５の付勢力に抗し、ロック体５２が当接体５３の軸方向に沿って回動されることにより回動空間へロック体５２の回動が許容され、ロック体５２は背面側へ回動される。
【００３４】
その結果、係合凹所２１ｂに対する係止片５２ｂの係合が解除される。さらに、鍵４７を前記時計方向へ回転させると、第１脚片４６ｂは作動係止片３０の端縁に係止し、その作動係止片３０が第１脚片４６ｂにより押し上げられる。すると、図５に示すように、作動体２１が上方へ移動するとともに、上部鉤部２６及び下部鉤部２７は下方に移動される。その結果、各鉤部２６、２７と対応する係合部３６との係合が解除され、前枠１３が開錠される。このとき、作動体２１の移動とともに、第１コイルバネ３２は伸長した状態となる。
【００３５】
前枠１３が解錠されると、当接体５３に対する外枠段部１２ａの押圧が解除され、第２コイルバネ５４の付勢力によりロック体５２は作動体２１から離れる方向へ回動する。第３コイルバネ５５は収縮状態から伸長状態へ戻ろうとして当接体５３の頭部５３ｂ側はロック体５２から離れる方向へ移動する。
【００３６】
また、鍵４７の時計方向への回転状態を解除すると、前記伸長状態にある第１コイルバネ３２が収縮状態に戻ろうとして、作動体２１を下方へ移動させる。その下方への作動体２１の移動に伴い作動係止片３０により第１脚片４６ｂが下方へ押圧され、カム板４６が下方へ回転する。その結果、カム板４６の回転に伴い鍵４７が反時計方向へ回転し、解錠する前の状態に戻る。
【００３７】
上記実施形態によって発揮される効果について、以下に記載する。
（１）外枠１２に押圧されたロック体５２の係止片５２ｂが作動体２１の係合凹所２１ｂに直接係合することにより作動体２１の移動を直接的に規制し、係合部３６と上部及び下部鉤部２６，２７との係合を維持することができる。そのため、施錠装置１６の施錠状態では、パチンコ遊技機１１の上方、側面等に存在する隙間から針金等の不正部材、手等でロック体５２の回動、さらには作動体２１の移動を行うことができない。従って、上部鉤部２６及び下部鉤部２７と係合部３６との係合を維持して前枠１３の不正開錠、さらには不正行為を防ぐことができる。
【００３８】
（２）カム板４６の回転によりロック体５２を回動させて係止片５２ｂと係合凹所２１ｂとの係合を解除することができ、さらに作動体２１を上方へ移動させて上部及び下部鉤部２６，２７と係合部３６との係合を解除することができる。従って、カム板４６一部材で二つの係合解除作業を行うことができ、施錠装置１６の部材点数を少なくして構成を簡易化することができるとともに、製造コストの節約を図ることができる。
【００３９】
（３）当接体５３は取付片５２ｅに対して移動可能に取り付けられている。そのため、外枠段部１２ａが当接体５３に当接したとき、当接体５３の移動により外枠１２と施錠装置１６との間の距離の寸法誤差を吸収して確実に施錠することができる。
【００４０】
（４）第３コイルバネ５５及び当接体５３により外枠段部１２ａとロック体５２との間を離間させて回動空間を形成することができ、その回動空間でロック体５２の回動を許容することができる。従って、当接体５３がロック体５２に一体形成され、その当接体５３が外枠１２に当接するとロック体５２をそれ以上回動不能になってしまう不具合をなくして、係合凹所２１ｂと係止片５２ｂとの係合を確実に解除することができる。
【００４１】
（５）前枠１３が開放している状態では、第２コイルバネ５４の付勢力によりロック体５２は作動体２１から離れる方向へ付勢されているため、係止片５２ｂが係合凹所２１ｂに係合してしまうおそれを無くすことができる。そのため、外枠１２を前枠１３により閉止する前に、作動体２１の移動が規制されてしまう不具合をなくすことができ、前枠１３を回転させたとき、施錠装置１６により確実に施錠することができる。
【００４２】
（６）また、前枠１３が開放している状態では、第３コイルバネ５５の付勢力により当接体５３の頭部５３ｂ側が前枠１３の背面側へ突出するように付勢されている。そのため、前枠１３を閉止方向へ回動させたとき、当接体５３を外枠段部１２ａに確実に当接させてロック体５２を作動体２１方向へ確実に回動させることができ、係合凹所２１ｂと係止片５２ｂとの係合を確実に行うことができる。
【００４３】
（７）ロック体５２は一枚の板材より形成されているため、施錠装置１６の構成を簡易化することができるとともに、製造コストを抑えることができる。
（８）延設部５２ｃと取付支持部材５１又は延設片５２ｆと作動体２１との係止によりロック体５２を作動体２１の近傍位置に配置することができる。従って、施錠装置１６の施錠状態では、係合凹所２１ｂと係止片５２ｂとの係合状態を維持することができ、解錠状態から施錠状態へ移動するとき、係止片５２ｂが係合凹所２１ｂへ係合するようにロック体５２を案内することができる。
【００４４】
（９）ロック体５２、第２コイルバネ５４は取付支持部材５１に一体的に取り付けられているため、取付支持部材５１を支持体１７の背板１８に取り付けることにより、その支持体１７に容易に施錠装置１６を形成することができる。
【００４５】
（１０）ストッパー５１ｄとロック体５２との当接により、ロック体５２の回動が規制され、係止片５２ｂが係合凹所２１ｂの近傍位置に配置される。そのため、ロック体５２が作動体２１側へ回動したとき、係止片５２ｂを係合凹所２１ｂに確実に係合させることができ、施錠装置１６の施錠を確実に行うことができる。
【００４６】
なお、前記実施形態を次のように変更して具体化することも可能である。
・実施形態では、取付支持部材５１の下端部にロック体５２の基端部が当接するストッパー５１ｄを形成したが、以下のように変更してもよい。取付支持部材５１の中央部の側縁から背面側へ延び、さらにロック体５２側へ延びるストッパーを形成してもよい。又はストッパー５１ｄを省略してもよい。
【００４７】
・実施形態では、取付支持部材５１の下端部とロック体５２の基端部との間に第２コイルバネ５４を設けたが、その第２コイルバネ５４を取付片５２ｅの裏面と背板１８との間に設けてもよい。そして、その第２コイルバネ５４の付勢力によりロック体５２を作動体２１から離れる方向へ付勢してもよい。
【００４８】
・実施形態では、延設片５２ｆを形成したが、延設片５２ｆを省略してもよい。
・係止片５２ｂをロック体５２の軸線に対して直交する方向へ延びた後、上方又は下方へ延びるように形成してもよい。
【００４９】
・実施形態では、上部及び下部鉤部２６，２７に上方へ開口する係合凹所３４を形成したが、上部及び下部鉤部２６，２７に下方へ開口する係合凹所３４を形成し、作動体２１を下方へ移動させることにより、係合部３６と係合凹所３４との係合を解除できる構成としてもよい。
【００５０】
・前記作動体に、鉤部を３箇所以上に設けてもよい。このように構成した場合、外枠１２に対する前枠１３の施錠をより確実にすることができる。
・前記各コイルばねを、板ばねやゴム等の他の付勢部材にそれぞれ変更してもよい。
【００５１】
・前記施錠装置１６を、パチスロ遊技機等の他の遊技機においても使用してもよい。
次に、実施形態又は別例から把握できる技術的思想について以下に記載する。
【００５２】
（１）前記錠部材には解錠操作により回転するカム板が設けられ、当該カム板は前記ロック体を作動体との係合を解除する方向へ回動させるとともに、作動体に係止して当該作動体を係合部と鉤部の係合を解除する方向へ作動させることを特徴とする請求項１〜請求項３のいずれか一項に記載の遊技機における施錠装置。このように構成した場合、カム板一部材で二つの係合解除作業を行うことができ、施錠装置の部材点数を少なくして構成を簡易化することができるとともに、製造コストの節約を図ることができる。
【００５３】
（２）前記支持体にはロック体に当接するストッパーが設けられ、当該ストッパーにより前記第１付勢部材に付勢されたロック体の回動を規制し、ロック体を作動体との係合位置の近傍で停止させることを特徴とする請求項１〜請求項３及び前記技術的思想（１）のいずれか一項に記載の遊技機における施錠装置。このように構成した場合、ストッパーによりロック体が作動体から必要以上に離れる方向へ回動されるのを規制することができる。
【００５４】
【発明の効果】
以上、詳述したように、本発明によれば、施錠装置の鉤部材を針金等の不正部材で操作して解錠しようとする不正行為を防ぐことができる。
【図面の簡単な説明】
【図１】  実施形態の施錠装置を示す分解斜視図である。
【図２】  （ａ）は実施形態の施錠装置の一側面を示す側面図、（ｂ）は実施形態の施錠装置の他側面を示す側面図である。
【図３】  実施形態の施錠装置の施錠状態を示す部分側面図である。
【図４】  係止片と係合凹所との係合が解除された状態を示す部分側面図である。
【図５】  実施形態の施錠装置の解錠状態を示す部分側面図である。
【図６】  実施形態のパチンコ遊技機を示す正面図である。
【符号の説明】
１１  …遊技機としてのパチンコ遊技機
１２  …外枠
１３  …前枠
１４  …遊技盤
１６  …施錠装置
１７  …支持体
２１  …作動体
２１ｂ…ロック体と係合する係合凹所
２６，２７…鉤部としての上部及び下部鉤部
３６  …係合部
４４  …錠部材としてのシリンダ錠
５２  …ロック体
５２ｂ…作動体と係合する係止片
５２ｅ…取付片
５２ｆ…延設片
５３  …当接体
５３ａ…軸部
５４  …第１付勢部材たる第２コイルバネ
５５  …第２付勢部材たる第３コイルバネ
【図１】
0004038381.tif 000002
【図２】
0004038381.tif 000003
【図３】
0004038381.tif 000004
【図４】
0004038381.tif 000005
【図５】
0004038381.tif 000006
【図６】
0004038381.tif 000007